(57)【要約】【課題】貯水容器に水を供給するタンク部を備えた空気調和装置において、排水作業時に水が貯水容器内に残ることを抑制し、スムーズに水を排水できることを目的とする。【解決手段】貯水容器１４は、タンク部材１５を装着するタンク装着部１８と、空気調和部材を装着する空気調和装着部１９と、タンク装着部１８と空気調和装着部１９とを仕切る仕切板部２０と、仕切板部２０の下部に設けた開口部２１とを備えている。仕切板部２０は貯水容器１４における一方側から他方側へ延び、開口部２１より貯水容器１４における他方側には、貯水容器１４のタンク装着部１８の底面から開口部２１より上方まで膨らみ、仕切板部２０および貯水容器１４における他方側のタンク装着部１８側面と一体となる膨張部２６を備え、膨張部２６の天面２９は開口部２１側から貯水容器１４における他方側へ向かうにつれて上方へ傾斜していることを特徴とする空気調和装置。【選択図】図４
2018054166.tif 000002
【特許請求の範囲】
【請求項１】
上方が開口した椀形状の貯水容器と、
前記貯水容器に水を供給するタンク部材と、
前記貯水容器の水に端部が浸漬する空気調和部材とを備え、
前記貯水容器は、
前記タンク部材を装着するタンク装着部と、
前記空気調和部材を装着する空気調和装着部と、
前記タンク装着部と前記空気調和装着部とを仕切る仕切板部と、
前記仕切板部の下部に設けた開口部とを備え、
前記仕切板部は前記貯水容器における一方側から他方側へ延び、
前記開口部より前記貯水容器における他方側には、
前記貯水容器の前記タンク装着部の底面から前記開口部より上方まで膨らみ、前記仕切板部および前記貯水容器における他方側の前記タンク装着部側面と一体となる膨張部を備えたことを特徴とする空気調和装置。
【請求項２】
前記膨張部の天面は前記開口部側から前記貯水容器における他方側へ向かうにつれて上方へ傾斜していることを特徴とする請求項１に記載空気調和装置。
【請求項３】
前記膨張部は、前記貯水容器における一方側から他方側へ延びると共に上下方向へ延びる面である第１の側面を備え、
前記第１の側面は、前記開口部側から前記貯水容器における他方側に向かうにつれて前記仕切板部との距離が大きくなることを特徴とする請求項１または２に記載の空気調和装置。
【請求項４】
前記タンク部材は、
水を貯水し開口を有するタンクと、
前記開口に装着される蓋と、
前記タンク内の水を供給する前記蓋に設けた弁とを備え、
前記貯水容器のタンク装着部には、
前記弁を押し上げる突起を備え、
前記第１の側面は前記タンク装着部に前記タンクを装着する場合のガイドとなることを特徴とする請求項３に記載の空気調和装置。
【請求項５】
前記タンク装着部における前記仕切板部側の底面は、
前記貯水容器における一方側から他方側へ向かうにつれて上方へ傾斜していることを特徴とする請求項１から４のいずれかに記載の空気調和装置。
【発明の詳細な説明】
【技術分野】
【０００１】
本発明は、貯水容器に水を供給するタンク部を備えた空気調和装置に関するものである。
【背景技術】
【０００２】
従来の空気調和装置においては、水を貯水する貯水容器と、貯水容器に水を供給するタンク部材と、空気調和部材とを備えていた。貯水容器は、タンク部材を装着するタンク装着部と、空気調和部材である加湿フィルターを装着する空気調和装着部とを有していた。タンク装着部と空気調和装着部とは、仕切板部によって仕切られ、仕切板部の下部には、タンク装着部と空気調和装着部とを連通する開口部を備えていた。タンク部は、水を貯水するタンクと、タンクの開口に設けた蓋とを備えていた。蓋には、上下方向に開口した蓋開口と、蓋開口を開閉する開閉弁部とを備えていた。タンク部の蓋を貯水容器に装着すると開閉弁部が蓋開口を開き、蓋開口からタンク内の水が、貯水容器のタンク装着部に水が供給され、仕切板部の下部に設けた開口部を介して空気調和装着部へ貯水される構成であった。
【先行技術文献】
【特許文献】
【０００３】
【特許文献１】特開２０１４−６６４０３号公報
【発明の概要】
【発明が解決しようとする課題】
【０００４】
このような従来の空気調和装置においては、貯水容器のお手入れをする場合に、貯水容器内に溜まった水を排水する排水作業を行う。貯水容器は、タンク部材を装着するタンク装着部と、空気調和部材である加湿フィルターを装着する空気調和装着部との両方に水が溜まっている為、排水作業を行ってもスムーズに水を排水できず、水が貯水容器内に残るという課題を有していた。
【０００５】
そこで本発明は、上記従来の課題を解決するものであり、排水作業時にスムーズに水を排水できる空気調和装置を提供することを目的とする。
【課題を解決するための手段】
【０００６】
そして、この目的を達成するために、本発明は、上方が開口した椀形状の貯水容器と、前記貯水容器に水を供給するタンク部材と、前記貯水容器の水に端部が浸漬する空気調和部材とを備え、前記貯水容器は、前記タンク部材を装着するタンク装着部と、前記空気調和部材を装着する空気調和装着部と、前記タンク装着部と前記空気調和装着部とを仕切る仕切板部と、前記仕切板部の下部に設けた開口部とを備え、前記仕切板部は前記貯水容器における一方側から他方側へ延び、前記開口部より前記貯水容器における他方側には、前記貯水容器の前記タンク装着部の底面から前記開口部より上方まで膨らみ、前記仕切板部および前記貯水容器における他方側の前記タンク装着部側面と一体となる膨張部を備えたことを特徴としたものであり、これにより所期の目的を達成するものである。
【発明の効果】
【０００７】
本発明によれば、上方が開口した椀形状の貯水容器と、前記貯水容器に水を供給するタンク部材と、前記貯水容器の水に端部が浸漬する空気調和部材とを備え、前記貯水容器は、前記タンク部材を装着するタンク装着部と、前記空気調和部材を装着する空気調和装着部と、前記タンク装着部と前記空気調和装着部とを仕切る仕切板部と、前記仕切板部の下部に設けた開口部とを備え、前記仕切板部は前記貯水容器における一方側から他方側へ延び、前記開口部より前記貯水容器における他方側には、前記貯水容器の前記タンク装着部の底面から前記開口部より上方まで膨らみ、前記仕切板部および前記貯水容器における他方側の前記タンク装着部側面と一体となる膨張部を備えている。
【０００８】
以上の構成により、貯水容器のタンク装着部には、開口部より貯水容器における他方側に膨張部を備えているので、排水作業時に貯水容器を膨張部側へ傾けながら空気調和装着部側から排水すると、タンク装着部に溜まった水が膨張部によって、仕切板部の下部に設けた開口部へ流れ込み易くなる。つまり、タンク装着部に溜まった水が、開口部を介して空気調和装着部へ流れ易くなる。結果として、排水作業時にスムーズに水を排水できるという効果を得ることができる。
【図面の簡単な説明】
【０００９】
【図１】本発明の実施の形態１の空気調和装置を示す斜視図
【図２】同空気調和装置を示す斜視図
【図３】同空気調和装置を示す展開図
【図４】同空気調和装置の貯水容器を示す斜視図
【図５】同空気調和装置の貯水容器を示す平面図
【図６】同空気調和装置の貯水容器を示す断面図
【図７】同空気調和装置のタンク部を示す斜視図
【図８】同空気調和装置の貯水容器を示す斜視図
【発明を実施するための形態】
【００１０】
以下、本発明の実施の形態について図面を参照しながら説明する。
【００１１】
（実施の形態１）
図１は、本発明の実施の形態１の空気調和装置の斜視図であり、空気調和装置を前面側から見た図である。図２は、本発明の実施の形態１の空気調和装置の斜視図であり、パネルを開いて空気調和装置を前面側から見た図である。
【００１２】
図１、２に示すように、本実施形態の空気調和装置においては、略箱形状の本体ケース１を備え、本体ケース１の両側面には略四角形状の吸気口２を有している。本体ケース１は、床等の水平面に置かれる。本体ケース１の一方側の側面である第１の本体側面１Ａには、縦長四角形状の開口５を備えている。第１の本体側面１Ａは、本体ケース１の前面側から見て、右側の側面である。本体ケース１の開口５には開閉可能なパネル３を備え、パネル３を開くと開口５から後述する本体ケース１内の加湿部７を取り出すことが出来る。本体ケース１の一方側の側面の吸気口２は、パネル３に設けられている。本体ケース１の天面には、開閉式の吹出口４を備えている。図１、２では、吹出口４は、閉じた状態である。
【００１３】
図３は、本発明の実施の形態１の空気調和装置の断面図であり、空気調和装置を右側から見た図である。
【００１４】
図２、図３に示すように、本体ケース１内には、送風機６と、空気調和部材である加湿部７と、風路８とを備えている。
【００１５】
送風機６は、本体ケース１の中央部に設けられ、モータ部９と、モータ部９により回転するファン部１０と、それらを囲むケーシング部１１とを備えている。
【００１６】
ファン部１０は、シロッコファンで、モータ部９から水平方向に延びたモータ軸（図示せず）に固定され、モータ部９は、ケーシング部１１に固定されている。ケーシング部１１は、ケーシング部１１の本体ケース１における上面側に吐出口１２を備え、ケーシング部１１の本体ケース１における背面側に吸込口１３を有している。
【００１７】
加湿部７は、水を貯水する貯水容器１４と、貯水容器１４に水を供給するタンク部材１５と、貯水容器１４内の水に一部が浸漬したフィルター部分１６とを備えている。貯水容器１４とフィルター部分１６は、送風機６より下方に配置されている。
【００１８】
貯水容器１４は、天面を開口した箱形状をしており、水を貯水できる構造となっており、本体ケース１の下部に配置され、本体ケース１から水平方向にスライドして着脱可能となっている。
【００１９】
タンク部材１５は、本体ケース１内部の一方側の側面に設置され、貯水容器１４から着脱可能な構造となっている。
【００２０】
フィルター部分１６は、貯水容器１４に貯水された水と、送風機６によって本体ケース１内に吸込まれた室内空気とを接触させる部材である。円筒状に構成され、円周部分に空気が流通可能な孔を備えたフィルター１７を配置し、その一端が貯水容器１４の水に浸漬するように、フィルター１７の中心軸を回転中心として貯水容器１４に回転自在に内蔵されている。そして、駆動部（図示しない）による回転され、水と室内空気を連続的に接触させる構造となっている。
【００２１】
風路８は、吸気口２と吹出口４とを連通し、この風路８には、吸気口２から順に、加湿部７（貯水容器１４、フィルター部分１６）、送風機６、吹出口４とを備えている。モータ部９によってファン部１０が回転すると、吸気口２から風路８内に入った外部の空気は、順に、加湿部７であるフィルター１７、送風機６、吹出口４を介して、吹き出される。
【００２２】
図４は、本発明の実施の形態１の空気調和装置の貯水容器の斜視図であり、空気調和装置における右側前面側から見た図である。図５は、本発明の実施の形態１の空気調和装置の貯水容器の平面図であり、貯水容器を上方から見た図である。図６は、本発明の実施の形態１の空気調和装置の貯水容器の断面図であり、空気調和装置における前面側から見た図である。
【００２３】
図４、５、６に示すように、貯水容器１４は、上方が開口した略横長四角形の椀形状であり、タンク部材１５を装着するタンク装着部１８と、空気調和部材を装着する空気調和装着部１９とを有している。タンク装着部１８と空気調和装着部１９とは、仕切板部２０によって仕切られている。
【００２４】
仕切板部２０は、貯水容器１４における一方側（図５における下側）から他方側（図５における上側）へ延びると共に上下方向に延びた板形状である。仕切板部２０は、貯水容器１４における長辺と長辺との間に配置され、短辺方向へ延びると共に上下方向に延びている。仕切板部２０の下部には、孔である開口部２１を備えている。
【００２５】
開口部２１は、横長四角形状の孔であり、タンク装着部１８と空気調和装着部１９とを連通する。
【００２６】
タンク装着部１８は、タンク装着部１８の底面３５から上方へ延びた４つの壁面に囲まれている。４つの壁面は、仕切板部２０と、仕切板部２０と対向したタンク対向面２２と、仕切板部２０とタンク対向面２２の一方側端部を繋ぐタンク一方側面２３と、仕切板部２０とタンク対向面２２の他方側端部を繋ぐタンク他方側面２４である。タンク装着部１８におけるタンク対向面２２側に取手部２５を備えている。
【００２７】
本実施形態の特徴は、貯水容器１４内に設けた膨張部２６である。具体的には、開口部２１より貯水容器１４における他方側（図４における右上側）には、貯水容器１４のタンク装着部１８の底面３５から開口部２１より上方まで膨らみ、仕切板部２０および貯水容器１４における他方側のタンク装着部１８側面であるタンク他方側面２４と一体となる膨張部２６えている。
【００２８】
膨張部２６は、貯水容器１４の底面３５が盛り上がった形状であり、貯水容器１４における一方側から他方側へ延びると共に上下方向へ延びる面である第１の側面２７と、仕切板部２０からタンク装着部１８側へ延びると共に上下方向へ延びる面である第２の側面２８と、第１の側面２７の上端部と第２の側面２８の上端部とを繋いだ天面２９とを備えている。第１の側面２７と第２の側面２８と天面２９とは隣り合った面であり、タンク装着部１８を斜め上方から見ると、これらの三つの面が見える。第１の側面２７はタンク対向面２２と対向し、第２の側面２８はタンク一方側面２３と対向している。膨張部２６の天面２９は、開口部２１側から貯水容器１４における他方側へ向かうにつれて上方へ傾斜している。
【００２９】
このように、貯水容器１４のタンク装着部１８には、開口部２１より貯水容器１４における他方側に膨張部２６を備えているので、排水作業時に貯水容器１４を膨張部２６側へ傾けながら空気調和装着部１９側から排水すると、タンク装着部１８の底面３５に溜まった水が膨張部２６によって、仕切板部２０の下部に設けた開口部２１へ流れ込み易くなる。つまり、タンク装着部１８に溜まった水が、開口部２１を介して空気調和装着部１９へ流れ易くなる。（図８参照）図８は、排水作業時に貯水容器１４を膨張部２６側へ傾けながら空気調和装着部１９側から排水する図である。貯水容器１４の水の流れ３４を示している。
【００３０】
また、膨張部２６の天面２９は開口部２１側から貯水容器１４における他方側へ向かうにつれて上方へ傾斜しているので、膨張部２６の天面２９に水が溜まることがない。結果として、排水作業時にスムーズに水を排水できるという効果を得ることができる。
【００３１】
また、膨張部２６は、貯水容器１４における一方側から他方側へ延びると共に上下方向へ延びる面である第１の側面２７を備えている。第１の側面２７は、開口部２１側から貯水容器１４における他方側に向かうにつれて仕切板部２０との距離が大きくなる。これにより、排水作業時に貯水容器１４を膨張部２６側へ傾けながら空気調和装着部１９側から排水する場合に、膨張部２６の第１の側面２７に沿って水が溜まることを抑制できる。
【００３２】
図７は、本発明の実施の形態１の空気調和装置のタンク部材の斜視図である。
【００３３】
図６、７に示すように、タンク部材１５は、水を貯水し開口（図示せず）を有するタンク３０と、開口に装着される蓋３１と、タンク３０内の水を供給する蓋３１に設けた弁３２とを備えている。蓋３１の外周は円筒形状である。貯水容器１４のタンク装着部１８には、弁３２を押し上げる突起３３を備え、第１の側面２７はタンク装着部にタンクを装着する場合のガイドとなる。突起３３の中心軸から第１の側面２７までの距離は、一定であり、蓋３１の中心から外周までの寸法より僅かに大きい寸法である。貯水容器１４のタンク装着部１８に、タンク部材１５の蓋３１の外周が第１の側面２７と接しながらタンク部材１５を挿入すると、弁３２と突起３３とが接触し、弁３２は突起３３によって押し上げられる。
【００３４】
また、タンク装着部１８における仕切板部２０側の底面３５は、貯水容器１４における一方側から他方側へ向かうにつれて上方へ傾斜している。これにより、タンク装着部１８における仕切板部２０側の底面３５に溜まった水は、排水作業時に貯水容器１４を膨張部２６側へ傾けながら空気調和装着部１９側から排水すると、徐々に開口部２１へ流れるので、スムーズに水を排水できるという効果を得ることができる。
【産業上の利用可能性】
【００３５】
本発明にかかる空気調和装置は、家庭用や事務所用などに使用される加湿装置等として有用である。
【符号の説明】
【００３６】
１    本体ケース
１Ａ    第１の本体側面
２    吸気口
３    パネル
４    吹出口
５    開口
６    送風機
７    加湿部
８    風路
９    モータ部
１０    ファン部
１１    ケーシング部
１２    吐出口
１３    吸込口
１４      貯水容器
１５    タンク部材
１６    フィルター部分
１７    フィルター
１８    タンク装着部
１９    空気調和装着部
２０    仕切板部
２１    開口部
２２    タンク対向面
２３    タンク一方側面
２４    タンク他方側面
２５    取手部
２６    膨張部
２７    第１の側面
２８    第２の側面
２９    天面
３０    タンク
３１    蓋
３２    弁
３３    突起
３４    水の流れ
３５    底面
【図１】
2018054166.tif 000003
【図２】
2018054166.tif 000004
【図３】
2018054166.tif 000005
【図４】
2018054166.tif 000006
【図５】
2018054166.tif 000007
【図６】
2018054166.tif 000008
【図７】
2018054166.tif 000009
【図８】
2018054166.tif 000010